(57)【特許請求の範囲】
【請求項１】
筒状金型と、該筒状金型の両端部に取り付けられて筒状金型の両端部を封止する一対の芯体保持部材とからなり、ローラの芯体の両端部をそれぞれ前記一対の芯体保持部材に設けた芯体挿入孔内に保持させて成形金型内に芯体を装着し、この成形金型内に樹脂材料を注入し、硬化させることで、芯体の周囲に円筒状の樹脂成形部を形成するようにした樹脂ローラ成形金型において、前記芯体保持部材の芯体挿入孔として、芯体を保持可能な内径を有する芯体保持部の奥部に前記芯体保持部より内径の大きな大径部を設けてなることを特徴とする樹脂ローラ成形金型。
【請求項２】
前記芯体保持部の内周面が芯体挿入孔の中心に向かって突出している請求項１に記載の樹脂ローラ成形金型。
【請求項３】
前記芯体保持部の内周面が芯体挿入孔の中心に向かって断面円弧状に突出している請求項２に記載の樹脂ローラ成形金型。
【請求項４】
前記芯体保持部の内周面が芯体挿入孔の中心に向かって断面尖形状に突出している請求項２に記載の樹脂ローラ成形金型。
【請求項５】
前記突出した芯体保持部内周面の頂部が、芯体保持部材の外周面に設けた筒状金型嵌合用鍔部の位置にある請求項２〜４のいずれかに記載の樹脂ローラ成形金型。
【発明の詳細な説明】
【０００１】
【発明の属する技術分野】
本発明は、レーザプリンターや複写機、ファクシミリ装置などの電子写真方式を採用した各種装置に組み込まれる現像ローラ、帯電ローラ、転写ローラなどの樹脂ローラの成形金型に関する。
【０００２】
【従来の技術】
レーザプリンターや複写機、ファクシミリ装置などの電子写真方式を採用した各種装置には現像ローラ、帯電ローラ、転写ローラなどのローラが組み込まれている。このようなローラの例として図１０に斜視図、図１１（ａ）および(ｂ)に断面図を示す。このローラ１０は、芯体２１と、樹脂材料にて形成される円筒状の成形部１２とを有する。
【０００３】
このようなローラ１０を成形するための金型は、例えば、図１２に示すように、筒状金型１３と、この筒状金型１３の両端部に取り付けられ、前記筒状金型１３に内挿された芯体２１を保持するとともに筒状金型１３の両端を封止する一対の芯体保持部材１４、１４とを有する。そして、樹脂注入側の芯体保持部材１４には筒状金型１３内のローラ成形空間１５に樹脂材料を注入するための樹脂注入口１６が形成され、この樹脂注入口１６における金型外面側開口部に設けた半円状のノズルタッチ部１９へ成形機の樹脂注入ノズル１８を圧接し、該樹脂注入ノズル１８から樹脂注入口１６を通してローラ成形空間１５に樹脂材料が注入される。尚、樹脂注入側の芯体保持部材１４には、樹脂注入に際してローラ成形空間１５内の空気を抜くための空気抜き機構を設けることもある。そして、金型内に樹脂の充填が完了した後、ローラ成形空間１５内の樹脂を加熱硬化させる。樹脂の硬化が完了した後、芯体保持部材１４を筒状金型１３から、その軸方向に沿って、それぞれ上方および下方に抜き去る。次いで、筒状金型１３に対して芯体２１を押し出すなどして、筒状金型１３内に保持されている成形品を取り出す。
【０００４】
ところが、上記のような成形金型により樹脂ローラを成形する場合、筒状金型１３と芯体保持部材１４の組み付け嵌合部、例えば芯体保持部材１４の外周面に設けた嵌合用鍔部１４１と筒状金型１３の開口縁１３１との間などにゴミや樹脂成形物が噛み込んだり、筒状金型１３と芯体保持部材１４の組み付け嵌合部の寸法精度が良くなかったりした場合には、図１３のように筒状金型１３の中心軸Ｏ1と芯体保持部材１４の中心軸Ｏ2が傾くことになる。そのような状態で組み合わされた筒状金型１３と芯体保持部材１４で樹脂ローラを成形する場合、内挿された芯体２１には曲げの力が働き、芯体２１が湾曲する。そして芯体２１が湾曲したまま、前記成形方法で樹脂注入口１６から樹脂を注入し、加熱硬化完了後、筒状金型１３から成形品を取り出した際には、図１４のように、芯体２１は曲げの力が解放されるために直線状に戻ることになる。しかし、芯体２１が湾曲したまま成形されたため、芯体２１が直線状に戻っても、樹脂成形部１２は偏肉しているため樹脂ローラとしては、偏心していることになる。この偏心している量を、フレと称し、製品の寸法規格に含まれる。例えば、外径φ１６ｍｍ、軸方向長さ２５０ｍｍ、芯体外径φ８ｍｍの樹脂ローラのフレの規格は、両端芯体部を保持して、５０μｍ以下を満足しなければならない。
【０００５】
【発明が解決しようとする課題】
このように、本発明者らの研究によれば、筒状金型１３と芯体保持部材１４の中心軸Ｏ1、Ｏ2が傾いて組み合わされた金型で成形された樹脂ローラは、芯体２１が湾曲したまま成形されるために樹脂成形部１２は偏肉し、フレが大きいことがわかった。しかし、樹脂ローラのフレは、製品規格に規定され、フレが大きな製品は不良となり、良品率を減少させることになる。
【０００６】
本発明はかかる現況に鑑みてなされたものであり、その目的は、たとえ筒状金型１３と芯体保持部材１４の中心軸Ｏ1、Ｏ2が傾いて組み合わされた場合でも、芯体保持部材１４に内挿される芯体２１には曲げの力がかかることを防止することで、結果的にフレの小さい樹脂ローラを製造可能な成形金型を提供することである。
【０００７】
【課題を解決するための手段】
上記の目的を達成するため、本発明は、予め芯体を内挿した成形金型を用いて金型内に樹脂材料を注入し、硬化させる成形方法で得られる樹脂ローラの成形金型における芯体保持部材として、該芯体保持部材に形成した、芯体を挿入保持するための芯体挿入孔を、芯体外径と同等の寸法の内径を有する芯体保持部と該芯体保持部の内径より大きい部分で構成することにより、上記の目的を達成した。
【０００８】
すなわち、本発明に係る樹脂ローラ成形金型は、筒状金型と、該筒状金型の両端部に取り付けられて筒状金型の両端部を封止する一対の芯体保持部材とからなり、ローラの芯体の両端部をそれぞれ前記一対の芯体保持部材に設けた芯体挿入孔内に保持させて成形金型内に芯体を装着し、この成形金型内に樹脂材料を注入し、硬化させることで、芯体の周囲に円筒状の樹脂成形部を形成するようにした樹脂ローラ成形金型において、前記芯体保持部材の芯体挿入孔として、芯体を保持可能な内径を有する芯体保持部の奥部に前記芯体保持部より内径の大きな大径部を設けてなることを特徴とするものである。
【０００９】
上記のような本発明に係る樹脂ローラ成形金型によれば、芯体保持部材の芯体挿入孔として、芯体を保持可能な内径を有する芯体保持部の奥部に前記芯体保持部より内径の大きな大径部を設けてなることから、この成形金型を用いて樹脂ローラを成形する場合、仮に筒状金型と芯体保持部材の組み付け嵌合部などにゴミや樹脂成形物が噛み込んだり、組み付け嵌合部の寸法精度が良くなかったりして、筒状金型の中心軸と芯体保持部材の中心軸とが傾いた状態で組み合わされた状態で樹脂ローラを成形する場合であっても、芯体は芯体保持部材における芯体保持部により筒状金型の中心に保持されるとともに、芯体端部が位置する芯体挿入孔の奥部は前記芯体保持部よりも内径を大きくして芯体の周囲に空間が形成されていることから、芯体端部において芯体に対して曲げの力が働くことなく、芯体は湾曲することがない。よって、成形された樹脂ローラは偏心することなく、フレが小さい製品が安定的に生産できる。
【００１０】
前記のような芯体保持部材における芯体挿入孔の構造は、芯体保持部材の樹脂成形部側端面に開口する芯体挿入孔の開口内縁部に位置する芯体保持部の内周面を芯体挿入孔の中心に向かって突出させることで構成することができる。この場合の一つの実施態様としては、芯体保持部の内周面が芯体挿入孔の中心に向かって断面円弧状に突出しているものであり、また、他の実施態様としては、前記芯体保持部の内周面が芯体挿入孔の中心に向かって断面尖形状に突出しているものであり、さらに他の実施態様としては、前記芯体保持部内周面の断面円弧状あるいは尖形状の突出した部分の頂部が、芯体保持部材の外周面に設けた筒状金型嵌合用鍔部の位置にあるものである。
【００１１】
尚、上記のように芯体挿入孔に大径部を設けた芯体保持部材は、成形金型の両端に取り付けられる一対の芯体保持部材の少なくとも一方に採用すればよく、また、両方に採用する場合にあっても、両方の芯体保持部材は必ずしも同一の構造でなくともよい。
【００１２】
【発明の実施の形態】
以下、本発明について、成形金型、および芯体の図面に基づいて説明する。図１に示すように、成形金型１００は、筒状金型１３と、該筒状金型１３の両端部に取り付けられて筒状金型１３の両端開口部を封止する一対の芯体保持部材１４、１４とからなり、前記筒状金型１３および一対の芯体保持部材１４、１４からローラ成形空間１５を形成している。そして、一方の芯体保持部材１４には樹脂注入口１６が設けられている。
【００１３】
前記芯体２１の形態としては、例えば、図１１（ａ）および（ｂ）の断面図に示される芯体２１などが挙げられるが、これらに限定されるものではない。また、その材質としては、樹脂ローラの芯体として公知の任意の材料、例えば、金属材料や導電性を付与した樹脂材料などが、本発明の芯体２１として適用可能である。
【００１４】
本発明の成形金型１００、および使用する芯体２１は、公知の樹脂ローラの任意の大きさについて適用可能である。一般的な樹脂ローラは、例えば直径１０ｍｍ〜３０ｍｍ、長さ２００ｍｍ〜４００ｍｍの大きさであり、また、芯体保持部材１４に保持される芯体２１の端軸部２１１の外径は、４ｍｍ〜１０ｍｍである。
【００１５】
筒状金型１３、および芯体保持部材１４は、熱硬化性樹脂成形用に用いられる公知の任意の材料から構成され、好ましくは、プリハードン鋼、焼き入れ鋼、非磁性鋼、炭素工具鋼、耐食鋼（ステンレス鋼）などであるが、これらに限定されるものではない。
【００１６】
図１に示すように、筒状金型１３の内部には、内挿される樹脂ローラの芯体２１が、両端の芯体保持部材１４、１４に保持されている。これらの芯体保持部材１４の一方は、例えば１実施例として図２に示すように、外周面に筒状金型１３嵌合用の鍔部１４１を形成するとともに、芯体挿入孔１４０として、芯体２１における端軸部２１１の外径とほぼ同等の寸法の内径を有し、芯体２１の端軸部２１１を保持可能とした芯体保持部１４２と、該芯体保持部１４２の奥部に形成された、前記芯体保持部１４２より内径の大きな大径部１４３で構成されて、芯体保持部１４２が大径部１４３よりも芯体挿入孔１４０の中心に向かって突出した形状に予め加工を施しておく。この芯体挿入孔１４０の加工は、例えば旋盤やフライス盤に芯体保持部材１４を固定し、芯体保持部１４２の内径で孔を形成した後、この孔へ挿入可能な大きさの中グリ切削バイトにより加工（中グリ加工）することで、芯体保持部１４２の奥部に大径部１４３を容易に形成することができる。
【００１７】
具体的形状としては、前記芯体保持部材１４の芯体保持部１４２の内径ｄ１は、芯体挿入孔１４０内への樹脂材料の侵入を防止するとともに芯体２１の挿入しやすさも考慮し、芯体端軸部２１１の外径より１０〜３０μｍ程度大きく、より好ましくは１０〜２０μｍ程度大きく形成されている。芯体保持部１４２の内径が大きすぎる場合には、金型内に注入された樹脂材料が芯体挿入孔１４０内に侵入して、成形された芯体２１の端軸部２１１の外周面が樹脂にて被覆されてしまうおそれがあり、また、芯体保持部１４２の内径ｄ１が小さすぎる場合には、芯体２１の端軸部２１１の挿入作業が困難になるおそれがあるだけでなく、芯体保持部１４２の幅ｗの大きさによっては、芯体保持部材１４に内挿される芯体２１に曲げの力がかかることを防止することが困難となる場合がある。
【００１８】
また、該芯体保持部１４２の芯体軸方向の幅ｗは、芯体保持部材１４の樹脂成形部側端面１４４から１０ｍｍ以下が好ましく、８ｍｍ以下がより好ましい。この芯体保持部１４２の芯体軸方向の幅ｗが大きい場合には、その内径ｄ１にもよるが、芯体２１の端軸部２１１が、その軸方向に沿って広い範囲で保持接触されてることで、挿入される芯体２１に曲げの力がかかることを防止するという効果が得られない場合がある。
【００１９】
さらに、芯体挿入孔１４０における前記芯体保持部１４２の奥部に形成される大径部１４３の内径は、芯体挿入孔１４０内に挿入される芯体２１の端軸部２１１の長さにもよるが、芯体端軸部２１１の外径より０．２ｍｍ以上大きいことが好ましく、０．３ｍｍ以上がより好ましい。
【００２０】
そして、上記のような本発明に係る樹脂ローラ成形金型１００によれば、前記のように加工を施した芯体保持部材１４と筒状金型１３とを組み合わせた際に、例えば、筒状金型１３の開口縁１３１と芯体保持部材１４の嵌合用鍔部１４１との組み付け嵌合部にゴミや樹脂成形物が噛み込んでいたり、前記組み付け嵌合部の寸法精度が良くなかったりして、図１のように筒状金型１３の中心軸と芯体保持部材１４の中心軸が傾いてしまった場合に、芯体２１は、その端軸部２１１が芯体保持部１４２により筒状金型１３の中心に保持されるとともに、芯体端部２１２では、芯体保持部１４２よりも内径が大きな大径部１４３が形成されていることにより芯体端部２１２に対して芯体２１を曲げる力が働くことなく、芯体２１は湾曲することがない。よって、成形された樹脂ローラは偏心することなく、フレが小さい製品が安定的に生産できる。
【００２１】
また、前記芯体保持部材１４の別の実施例としては、図３に示すように、芯体挿入孔１４０における、芯体を保持接触する芯体保持部１４２の内周面を芯体挿入孔１４０の中心に向かって断面円弧状に突出するよう予め加工を施しておく。この場合にも、前記突出した芯体保持部１４２の内径、即ち突出部の頂部の内径ｄ１は、挿入される芯体端軸部２１１の外径より１０〜３０μｍ大きく加工されることが好ましい。また、前記円弧状突出部の半径が小さい方が、芯体２１との接触面積がより小さくなり、芯体２１を保持、接触して芯体２１に対する曲げる力の作用を軽減できることから、円弧状突出部の半径は、５ｍｍ以下が好ましく、２．５ｍｍ以下がより好ましい。このように、芯体保持部１４２の内面を断面円弧状に突出して形成することで、芯体端軸部２１１の外周面に芯体保持部１４２が線状に保持接触して、芯体２１に対する曲げる力の作用をより一層軽減することができる。
【００２２】
さらに、別の実施形態として図４、図５に示す実施例のように、芯体保持部材１４の芯体挿入孔１４０内に突出した芯体保持部１４２を、その幅ｗ方向の中心あるいは突出した頂部が、筒状金型１３の開口縁１３１と該芯体保持部１４の外周面に設けた嵌合用鍔部１４１の位置になるように形成しておくことができる。このように、芯体保持部１４２を、その幅ｗ方向の中心あるいは突出部分の頂部が、筒状金型１３の開口縁１３１と該芯体保持部１４の外周面に設けた嵌合用鍔部１４１の位置になるように形成しておくことで、例えば、図１に示すように芯体保持部材１４が傾いて筒状金型１３に組み合わされたとき、嵌合用鍔部１４１の端部を支点に傾くので、芯体２１を保持、接触している芯体保持部１４２の中心点が、筒状金型１３の中心からずれる量が最小となる。よって、芯体２１の中心点と樹脂成形部１２の中心点とのずれが最小となり、ひいてはフレ量が最小になる。
【００２３】
この場合も、芯体保持部１４２の内径は芯体の挿入しやすさも考慮して芯体端軸部の外径より１０〜３０μｍ大きく加工されており、また、芯体保持部１４２の幅ｗは、樹脂成形部端面側から１０ｍｍ以下が好ましく、８ｍｍ以下がより好ましく、また、断面円弧状の突出部の半径は５ｍｍ以下が好ましく、２．５ｍｍ以下がより好ましい。
【００２４】
さらに、前記図３、図５に示した芯体保持部１４２内面を断面円弧状突出部に形成する場合のように、芯体保持部１４２の内面を突出して形成することで、芯体端軸部２１１の外周面を芯体保持部１４２が線状に保持接触するようにする場合の実施の形態としては、上記のように断面円弧状に突出させる場合の他、例えば、図６〜図１０に示すように、芯体保持部１４２の内周面を断面尖形状に突出させるようにしてもよく、突出部の形状は特に限定されるものではなく、また、その突出部の位置も、図６に示すように、芯体挿入孔１４０の開口縁の内側に設けたり、図７に示すように、芯体挿入孔１４０の開口端縁に設けたり、さらに、図９、図１０に示すように、突出部を嵌合用鍔部１４１の位置に一致させることもでき、適宜設定することができる。
【００２５】
尚、いずれの実施態様においても、芯体保持部材１４における芯体保持部１４２の内面は芯体２１が接触する部分であり、且つ寸法精度が要求される部分でもあるので、耐摩耗性を考慮し、部分的に金型硬度を向上させたコーティング処理をしたり、摩耗した際に交換が可能なように入駒構造にすることが可能なことは言うまでもない。
【００２６】
また、芯体保持部材１４は、筒状金型１３の両端のそれぞれに取り付けられるが、少なくともそのうち一つに前記の実施態様が選択でき、両方に必要な場合は、必ずしも同一の態様を選択せずともよい。
【００２７】
次に、上記のような本発明に係る樹脂ローラ成形金型１００を用いて樹脂ローラを成形する具体的方法を説明する。例えば、成形用樹脂材料として、末端アリル化ポリオキシプロピレン系重合体にポリシロキサン系硬化剤と導電性付与剤（カーボンブラック）を配合し、液状樹脂用射出注入機において、ローラ外径（樹脂成形部の外径）がφ１６ｍｍで、樹脂成形部１２の長さが２５０ｍｍのローラを成形する場合、配合された注入樹脂の粘度は、導電性付与剤の混合部数によるが、２００〜８００ポイズで、注入時の注入圧力は０．５ＭＰａ〜４ＭＰａである。そして、例えば、上記寸法形状のローラで、樹脂成形部１２の肉厚が４ｍｍの場合、金型の樹脂注入口１６の口径は、１ｍｍ〜２ｍｍとなっている。尚、注入時の成形金型１００の向きは金型の長手方向を垂直に立て、金型の下部から注入することが望ましい。
【００２８】
金型の加熱は、従来公知の任意の方法で行うことができる。具体的には、例えば、加熱ファンが設けられた加熱炉内で加熱する方法、金型の周囲に電気ヒータを配して加熱する方法、または誘導加熱コイルを金型周辺に配して加熱する方法がある。金型の温度は、熱硬化性樹脂の注入および加熱硬化を行うことができる任意の温度が選択可能であるが、樹脂の注入時は、樹脂が注入しやすく、かつ硬化しない温度、例えば２０℃〜８０℃程度が好ましい。また、樹脂の加熱温度は、樹脂に配合される硬化遅延剤の分量にもよるが、８０℃〜２００℃程度が望ましい。
【００２９】
成形用樹脂材料としては、熱硬化性樹脂が用いられる。例えばシリコーン、ウレタン、アクリロニトリル・ブタジエン共重合（ＮＢＲ）、エチレン・プロピレン・ジエン・メチレン共重合体（ＥＰＤＭ）などが使用できる。これらの熱硬化性樹脂には、必要に応じてその他の各種添加剤を添加することができる。例えば、カーボンなどの抵抗制御剤（導電性付与剤）を添加すれば、ローラの電気抵抗を制御することができる。
【００３０】
前記熱硬化性樹脂材料として、以下に説明する硬化性組成物も使用できる。この硬化性組成物の反応硬化物からなる成形樹脂は特に柔軟な構造を持つため、樹脂成形部の肉厚を薄くしても十分にその弾性効果を発揮する。またオキシアルキレン単位を含む場合には、硬化前に低粘度であるため扱いやすく、飽和炭化水素単位を含む場合には、低吸水率となり高湿環境下でも体積変化およびローラ抵抗の変化が少ないという点で好ましい。
【００３１】
即ち、前記熱硬化性樹脂材料としては、
(Ａ)分子中に少なくとも１個のアルケニル基を有し、主鎖を構成する繰り返し単位が主にオキシアルキレン単位または飽和炭化水素単位からなる重合体と
(Ｂ)分子中に少なくとも２個のヒドロシリル基を有する硬化剤と
(Ｃ)ヒドロシリル化触媒と
(Ｄ)導電性付与剤と
を主成分とする硬化性組成物を用いることが好ましい。
【００３２】
前記熱硬化性樹脂材料には、必要に応じて、硬化剤、硬化促進剤、硬化遅延剤などの、熱硬化反応を調整する材料が添加される。また、必要に応じて、有機または無機の充填剤を添加できる。さらに、必要に応じて有機または無機の各種顔料、増粘剤、離型剤などを添加することができる。
【００３３】
【実施例】
次に実施例を挙げて本発明を具体的に説明するが、これらの実施例は何ら本発明を制限するものではない。
【００３４】
図１に示す本発明の樹脂ローラ成形金型を用いて、図１０に示すような、ローラ外径（樹脂成形部１２の外径）がφ１６ｍｍ、樹脂成形部１２の長さが２５０ｍｍで、芯体端軸部２１１の外径がφ８ｍｍである樹脂ローラ１０を成形した。使用した成形金型１００における一方（上側）の芯体保持部材１４（図２に示すもの。）の芯体保持部１４２の内径ｄ１は、前記樹脂ローラ１０の芯体端軸部２１１の外径より２０μｍ大きく、該芯体保持部１４２の芯体軸方向の幅ｗは、芯体保持部材１４の樹脂成形部側端面１４４から８ｍｍで、芯体保持部１４２の奥部に位置する大径部１４３の内径ｄ2は樹脂ローラ１０の芯体端軸部２１１の外径より０．２ｍｍ大きく加工した。
【００３５】
使用した熱硬化性樹脂材料は、下記表１に示す配合樹脂で、粘度は６００ポイズであった。
【００３６】
【表１】
0004141610.tif 000002
【００３７】
上記の配合樹脂材料を液状樹脂用射出注入機において、注入圧力を４ＭＰａで、金型の樹脂注入口１６の内径が１．５ｍｍの上記成形金型１００の成形空間１５に、該金型１００の長手方向を垂直に立てた状態で、金型の下部から注入した。金型の加熱は、加熱ファンが設けられた加熱炉内で加熱する方法で、加熱炉内の雰囲気温度を１４０℃に設定し、２０分間加熱後、前記成形金型１００の筒状金型１３から、成形品の軸方向に２０ｋｇの離型荷重を印加しながら、約１０秒で離型し、成形品を得た。
【００３８】
その結果、得られた樹脂ローラのフレは、芯体が挿入、保持可能な内径の芯体挿入孔のみで構成された従来の芯体保持部材を用いた成形金型で成形した樹脂ローラの場合の６５μｍと比べて３５μｍ小さい３０μｍであり、フレの規格である５０μｍ以下を満足するものであった。
【００３９】
【発明の効果】
以上のように、本発明の成形金型を用いれば、成形時に芯体に曲げの力が働かず、成形される樹脂ローラとして、フレが小さい良品を安定的に得ることが可能となる。
【図面の簡単な説明】
【図１】  本発明に係る樹脂ローラ成形金型の１つの実施態様における芯体保持部材と筒状金型の組み合わせ状態を示す断面図である。
【図２】  本発明の１つの実施態様における芯体保持部材の断面説明図である。
【図３】  本発明の１つの実施態様における芯体保持部材の断面説明図である。
【図４】  本発明の１つの実施態様における芯体保持部材の断面説明図である。
【図５】  本発明の１つの実施態様における芯体保持部材の断面説明図である。
【図６】  本発明の１つの実施態様における芯体保持部材の断面説明図である。
【図７】  本発明の１つの実施態様における芯体保持部材の断面説明図である。
【図８】  本発明の１つの実施態様における芯体保持部材の断面説明図である。
【図９】  本発明の１つの実施態様における芯体保持部材の断面説明図である。
【図１０】  一般的な樹脂ローラの斜視図である。
【図１１】  （ａ）、(ｂ)は一般的な樹脂ローラの断面図である。
【図１２】  従来技術の成形金型の断面図である。
【図１３】  従来技術の成形金型における芯体保持部材と筒状金型との中心軸が傾いた状態を示す断面図である。
【図１４】  従来技術の成形金型を用いて、芯体保持部材と筒状金型との中心軸が傾いた状態で成形された樹脂ローラの断面図である。
【符号の説明】
１０：ローラ、１２：樹脂成形部、１３：筒状金型、１４：芯体保持部材、１５：ローラ成形空間、１６：樹脂注入口、１８：樹脂注入ノズル、１９：ノズルタッチ部、２１：芯体、１００：成形金型、１３１：筒状金型開口縁、１４０：芯体挿入孔、１４１：嵌合用鍔部、１４２：芯体保持部、１４３：大径部、１４４：樹脂成形部側端面、２１１：芯体端軸部、２１２：芯体端部。
【図１】
0004141610.tif 000003
【図２】
0004141610.tif 000004
【図３】
0004141610.tif 000005
【図４】
0004141610.tif 000006
【図５】
0004141610.tif 000007
【図６】
0004141610.tif 000008
【図７】
0004141610.tif 000009
【図８】
0004141610.tif 000010
【図９】
0004141610.tif 000011
【図１０】
0004141610.tif 000012
【図１１】
0004141610.tif 000013
【図１２】
0004141610.tif 000014
【図１３】
0004141610.tif 000015
【図１４】
0004141610.tif 000016